(57)【特許請求の範囲】
【請求項１】
開口部がシール部材によって封止されたカップ本体に、前記シール部材を破断して開封する切刃部材を備えた蓋体が被着されてなる蓋付カップ容器であって、
前記蓋体の外側には、天板部を備えた外蓋が前記蓋体と相対的に回転可能に被着されるとともに、前記切刃部材には、前記外蓋の前記天板部に向けて突出した突起部が形成され、
前記外蓋の前記天板部には、内側に向けて突出するとともに周方向に向けてその突出高さが漸次変化する傾斜突条部が形成されていて、
前記外蓋を前記蓋体に対して相対的に回転することにより、前記傾斜突条部によって前記突起部が押圧されて、前記シール部材が破断される構成とされ、
前記蓋体は、側面部とこの側面部に交差する天面部とを備えており、前記切刃部材は、前記天面部に設けられた連結ヒンジ部を中心に前記シール部材に向けて回動されることにより、前記天面部と前記側面部との交差部分から分離可能に設けられ、
前記連結ヒンジ部と、前記突起部の上端のうち回動方向前端に位置する部分と、の距離が、前記連結ヒンジ部と、前記開口部の周縁部のうち前記切刃部材に対向して位置する部分と、の距離よりも大きく設定され、
前記切刃部材が前記連結ヒンジ部を中心として前記シール部材に向けて回動した際に、前記突起部の上端のうち回動方向前端に位置する部分と、前記開口部の周縁部のうち前記切刃部材に対向して位置する部分と、が係止可能に構成されていることを特徴とする蓋付カップ容器。
【請求項２】
請求項１に記載の蓋付カップ容器において、
前記外蓋には、前記蓋体に対するこの外蓋の相対回転量が認識可能なガイド部が形成されていることを特徴とする蓋付カップ容器。
【請求項３】
請求項２に記載の蓋付カップ容器において、
前記ガイド部は、前記外蓋に形成された開口穴であることを特徴とする蓋付カップ容器。
【発明の詳細な説明】
【技術分野】
【０００１】
本発明は、例えば飲料等が充填される蓋付カップ容器に関するものである。
【背景技術】
【０００２】
この種の蓋付カップ容器としては、例えば下記特許文献１及び特許文献２に示されるように、上方に向けて開口した開口部が形成されたカップ本体を備え、この開口部がシール部材によって封止され、カップ本体の上部に前記シール部材を破断する切刃部材を備えた蓋体が被着されたものが提供されている。ここで、切刃部材は、シール部材と対向配置される天面部に設けられており、その下面側（シール部材に対向する側）に下側に向けて突出する切刃が形成されるとともに、天面部と連結ヒンジ部にて連結されていて、この連結ヒンジ部を中心として下側に向けて回動可能に構成されている。
【０００３】
このような構成の蓋付カップ容器は、切刃部材を上方から指等で押圧して連結ヒンジ部を中心にして下側（シール部材側）へと回動させ、蓋体の下側に向けて突出された切刃によってシール部材を破断して開口し、カップ本体内に充填されている飲料等の内容物を外部へと取り出すことができるものである。
【特許文献１】特開２００４−１２３１５５号公報
【特許文献２】特開２００５−２２７５７号公報
【発明の開示】
【発明が解決しようとする課題】
【０００４】
ところで、前述した従来の蓋付カップ容器においては、切刃部材を指で押し込んだ際に、指がカップ本体内に入り込んで内容物に触れてしまうおそれがあり、特に、内容物が飲料等の場合には衛生上の問題があった。
また、切刃部材を必要以上に強く押圧した場合には、内容物に切刃部材や指等が勢い良く飛び込んで内容物が外部へと飛散してしまうおそれがあった。
【０００５】
この発明は、前述した事情に鑑みてなされたものであって、切刃部材によって開封する際に指等がカップ本体内の内容物に触れることがなく衛生的であるとともに、内容物が外部へと飛散することを防止できる蓋付カップ容器を提供することを目的とする。
【課題を解決するための手段】
【０００６】
この課題を解決するために、本発明の蓋付カップ容器は、開口部がシール部材によって封止されたカップ本体に、前記シール部材を破断して開封する切刃部材を備えた蓋体が被着されてなる蓋付カップ容器であって、前記蓋体の外側には、天板部を備えた外蓋が前記蓋体と相対的に回転可能に被着されるとともに、前記切刃部材には、前記外蓋の前記天板部に向けて突出した突起部が形成され、前記外蓋の前記天板部には、内側に向けて突出するとともに周方向に向けてその突出高さが漸次変化する傾斜突条部が形成されていて、前記外蓋を前記蓋体に対して相対的に回転することにより、前記傾斜突条部によって前記突起部が押圧されて、前記シール部材が破断される構成とされ、前記蓋体は、側面部とこの側面部に交差する天面部とを備えており、前記切刃部材は、前記天面部に設けられた連結ヒンジ部を中心に前記シール部材に向けて回動されることにより、前記天面部と前記側面部との交差部分から分離可能に設けられ、前記連結ヒンジ部と、前記突起部の上端のうち回動方向前端に位置する部分と、の距離が、前記連結ヒンジ部と、前記開口部の周縁部のうち前記切刃部材に対向して位置する部分と、の距離よりも大きく設定され、前記切刃部材が前記連結ヒンジ部を中心として前記シール部材に向けて回動した際に、前記突起部の上端のうち回動方向前端に位置する部分と、前記開口部の周縁部のうち前記切刃部材に対向して位置する部分と、が係止可能に構成されていることを特徴としている。
【０００７】
この構成の蓋付カップ容器によれば、切刃部材が形成された蓋体の外側に、前記切刃部材の突起部を押し下げる傾斜突条部が形成された外蓋が前記蓋体と相対的に回転可能に被着されているので、切刃部材を指等で直接押圧することなく外蓋を蓋体に対して相対的に回転させることで切刃部材を押し下げて開封することができ、カップ本体内に指等が入り込むことがなく内容物と指等の接触を防止できる。また、切刃部材や指等が勢い良く内容物に飛び込むことがなく、内容物の飛散を防止できる。さらに、外蓋を被着した状態で開封作業を行うことができるので、万が一、切刃部材が勢い良く内容物に飛び込んだ場合でも、内容物が外蓋の外部に飛散することはない。
また、切刃部材を押し込んで開封した後に、切刃部材が連結ヒンジ部を中心としてカップ本体の外側に向けて回動しようとした際に、突起部の上端のうち回動方向前端に位置する部分が開口部周縁部に係止されることになる。したがって、切刃部材が押し込まれたことによって形成された開口部を切刃部材が回動して塞いでしまうことがなく、内容物の取り出しをスムーズに行うことができる。
【０００８】
ここで、前記外蓋に、前記蓋体に対するこの外蓋の相対回転量が認識可能なガイド部を形成しても良い。
この場合、ガイド部によって外蓋の蓋体に対する相対回転量が認識され、傾斜突条部によって切刃部材の突起部を確実に押圧してシール部材を破断させることができ、外蓋をしたままでも確実に開封することができる。
【０００９】
さらに、前記ガイド部として前記外蓋に形成された開口穴を設けた場合には、開口穴が切刃部材の上方に位置した時点でシール部材が破断されて開封された状態とすることで、開口穴を、内容物の取り出し口として使用することもできる。したがって、例えば、外蓋をしたままでカップ本体内の飲料を飲むこともできる。なお、ガイド部として開口穴を形成した場合には、開口穴をタックシール等で封止して流通することが好ましい。
【発明の効果】
【００１１】
本発明によれば、切刃部材によって開封する際に指等がカップ本体内の内容物に触れることがなく衛生的であるとともに、内容物が外部へと飛散することを防止できる蓋付カップ容器を提供することができる。
【発明を実施するための最良の形態】
【００１２】
以下に、本発明の実施形態について添付した図面を参照にして説明する。図１から図４に、本発明の実施形態である蓋付カップ容器を示す。
本実施形態である蓋付カップ容器１０は、例えば飲料等が充填されて流通されるものであり、ユーザー（消費者）が購入してこのカップ容器から直接飲むことができるものである。
【００１３】
この蓋付カップ容器１０は、軸線Ｌに沿って延びる概略有底円筒状をなすカップ本体１１を有しており、このカップ本体１１には、上方に向けて開口した開口部１１Ａが形成されている。詳述すると、カップ本体１１は、下側に向かうにしたがい漸次径が小さくなるようなテーパ胴部１２と、このテーパ胴部１２の下端に接続されて軸線Ｌと直交する方向に延びる底部１３とを有している。
【００１４】
テーパ胴部１２の上端には、一段大径とされるとともに径が一定のまま上方へと延びる定径部１４が形成されていて、定径部１４の上端に前記開口部１１Ａが形成されている。この定径部１４の上端部分は径方向外側に向けて略９０°、つまり軸線Ｌに直交する方向に折り曲げられていて、開口部１１Ａの周囲にフランジ部１５が形成されている。
【００１５】
このフランジ部１５の上面には、前記開口部１１Ａを封止するためのシール部材１６が貼着されている。このシール部材１６は、例えばアルミ蒸着シート等のバリア性シート材で構成されていて、その下面には熱溶着層が形成されている。このシール部材１６は、前記カップ本体１１内に飲料が充填された後に、フランジ部１５の上面に熱溶着され、カップ本体１１内の飲料が外部に漏出しないように封止するものである。なお、シール部材１６としてバリア性シート材を使用した場合には、空気等がカップ本体１１内へと侵入することを防止して飲料の変質を防ぐこともできる。
【００１６】
カップ本体１１の開口部１１Ａにシール部材１６が貼着された状態で、上部から蓋体２０が被着される。この蓋体２０は、軸線Ｍを中心とした円筒状をなす側壁部２１と前記軸線Ｍに対して直交する方向に延びて側壁部２１と交差する天面部２２とを備えている。側壁部２１の下端には、径方向外側に向けて前記天面部２２と平行に延びる円環状平面部２３が形成されるとともに、この円環状平面部２３を介して前記側壁部２１よりも内径及び外径が一段大きくされた装着筒部２４が設けられている。
【００１７】
この装着筒部２４の内周面には、径方向内側に向けて突出した係合凸部２５が形成されており、この係合凸部２５の突出した部分の内径は、前記フランジ部１５の外径よりも小さくされていて、係合凸部２５の円環状平面部２３からの前記軸線Ｍ方向高さは、フランジ部１５の肉厚にシール部材１６の厚さを加えたものと略同一とされている。よって、この装着筒部２４を前記フランジ部１５に被せると、図１に示すように、係合凸部２５がフランジ部１５の下面側に係合し、円環状平面部２３がフランジ部１５の上面にシール部材１６を介して当接され、蓋体２０がカップ本体１１に固定される構成とされている。なお、このように蓋体２０をカップ本体１１に被着した場合には、カップ本体１１の軸線Ｌと蓋体２０の軸線Ｍとが一致することになる。
【００１８】
また、側壁部２１は、上方に向かうにしたがいその肉厚が漸次薄くなるように形成されていて、天面部２２が交差した部分よりも上方部分が嵌合凸部２６とされている。
そして、天面部２２には、前記シール部材１６を破断して開封する際に使用される切刃部材２７が形成されている。
【００１９】
切刃部材２７は、前記天面部２２と側壁部２１との接続部分の一部が切り欠かれた円弧状切欠部２７Ａと、この円弧状切欠部２７Ａの両端から軸線Ｍ近傍に向けて互いに平行に延びる一対の直線状切欠部２７Ｂと、これら一対の直線状切欠部２７Ｂの端部を接続するように延びる連結ヒンジ部２８とを有しており、上面視して図２に示すように、概略四角形状をなしている。切刃部材２７は、上方から押圧することにより、連結ヒンジ部２８を中心軸として下方側に向けて回動可能とされている。
【００２０】
この切刃部材２７の下面側（シール部材１６に対向する側）には、下側に向けて突出した切刃２９が形成されていて、蓋体２０を被着した状態では、この切刃２９はシール部材１６と非接触な状態に配置されている。
また、切刃部材２７の上面側には、図１及び図２に示すように、上方に向けて突出して前記直線状切欠部２７Ｂと平行に延びる四角形平板状の突起部３０が形成されている。ここで、連結ヒンジ部２８から突起部３０の上端のうち回動方向前端に位置する部分（本実施形態では円弧状切欠部２７Ａ側部分）までの距離Ａは、図６に示すように、連結ヒンジ部２８とフランジ部１５内周端（開口部１１Ａ周縁部）のうち切刃部材３０に対向して位置する部分との距離Ｂよりも僅かに大きく設定されている。
また、突起部３０には、軸線Ｍ方向内側に向けて延びて連結ヒンジ部２８よりも軸線Ｍ近傍側にまで達するように延長片３０Ａが形成されている。
【００２１】
蓋体２０の上側には、外蓋４０が蓋体２０に対して相対的に回転可能に被着される。この外蓋４０は、軸線Ｎを中心とした円筒状をなす円筒部４１とこの円筒部４１の上端に配置されて軸線Ｎと直交する方向に延びる天板部４２とを有している。天板部４２の軸線Ｎ近傍には中央円板部４３が形成されていて、この中央円板部４３の外周側には上側に向けて突出するとともに中央円板部４３と平行とされたリング面部４４が形成されている。
【００２２】
このリング面部４４の下面の一部には、下側に向けて突出するとともに回転方向Ｔ（周方向）に向けてその突出高さが漸次低くなる傾斜突条部４５が形成されている。本実施形態においては、図１から図４に示すように、径方向に互いに平行に並んだ３本の傾斜突条部４５が形成されていて、最も突出高さが高い部分で３つの傾斜突条部４５が連結された構成とされている。
この傾斜突条部４５の回転方向Ｔ後方側には、外蓋４０の蓋体２０に対する相対回転量を認識するためのガイド部として開口穴４６が設けられている。
【００２３】
また、天板部４２の外周部分には、下側に向けて突出して前記円筒部４１と平行に延びる環状突起部４７が形成されていて、環状突起部４７と円筒部４１との間に蓋体２０の嵌合凸部２６が嵌入可能とされている。
さらに、この外蓋４０の上にはカバー５０が被着されていて、カバー５０の下端部分には、径方向内側に折り曲げられた環状凸部５１が形成されている。この環状凸部５１が蓋体２０の下端に係合されることで、前記外蓋４０と蓋体２０とが軸線Ｍ（軸線Ｎ）方向に相対的に移動しないように固定されている。
【００２４】
このような構成とされた蓋付カップ容器１０においては、カップ本体１１に、例えば飲料等が充填され、カップ本体１１のフランジ部１５に前記シール部材１６が熱溶着されてカップ本体１１が封止される。このカップ本体１１の上から蓋体２０を被せて、フランジ部１５の外周端に前記装着筒部２４の係合凸部２５を係合させることにより、蓋体２０をカップ本体１１に被着させる。さらに、この上から外蓋４０を被せて、環状突起部４７と円筒部４１との間に蓋体２０の嵌合凸部２６を嵌入し、外蓋４０を蓋体２０に対して相対的に回転可能に被着する。この上からカバー５０が被せられて外蓋４０が蓋体２０に固定される。この状態で、内部に飲料が充填された蓋付カップ容器１０が流通される。
【００２５】
ユーザー（消費者）がこの蓋付カップ容器１０に充填された飲料を飲む際には、まず、外蓋４０を蓋体２０に対して相対的に回転方向Ｔに向けて回転させる。この際、開口穴４６が切刃部材２７の上部に位置するまで回転させると、図４及び図５に示すように、前記傾斜突条部４５はその突出高さが低い側から前記突出部３０と接触して切刃部材２７を下側へと徐々に押し下げていくことになり、傾斜突条部４５の最も突出高さが高い部分では切刃部材２７は完全にシール部材１６を破断していることになる。ここで、カバー５０によって前記外蓋４０と蓋体２０とが軸線Ｍ（軸線Ｎ）方向に相対的に移動しないように固定されているので、前述のようにシール部材１６を破断する過程において、外蓋４０に対して上方に向けた押上げ力が蓋体２０から作用した場合においても、傾斜突条部４５が確実に突起部３０を下側に向けて押圧することになる。
さらに、本実施形態においては、突起部３０に軸線Ｍ方向内側に向けて延びる延長片３０Ａが形成されているので、この延長片３０Ａが前記傾斜突条部４５によって押圧されて切刃部材２７の回動量がさらに大きくなるように構成されている。
【００２６】
すなわち、開口穴４６が切刃部材２７の上部に位置した状態では、シール部材１６が破断されて開封された状態となっているのである。
このようにして開封することで、カップ本体１１内の飲料は、シール部材１６が破断された部分及び切刃部材２７が押し下げられて形成された開口部を通じて蓋体２０の外側に取り出されることになる。そこで、ユーザー（消費者）は、このように開封した後にカバー５０を取り外し、開口穴４６を介してカップ本体１１内の飲料を飲むことができる。
【００２７】
本実施形態である蓋付カップ容器１０によれば、前述のように外蓋４０を蓋体２０に対して相対的に回転させることで傾斜突条部４５によって突起部３０を押圧して切刃部材２７によってシール部材１６を破断して開封することができるので、切刃部材２７を指で直接押圧する必要がなくなり、カップ本体１１内に指が入り込むおそれがなくカップ本体１１内に充填された飲料と指との接触を防止できる。
【００２８】
また、外蓋４０を回転させるのみであるため、切刃部材２７が勢い良くカップ本体１１内に入り込むことがなく飲料の飛散を防止することができる。さらに、外蓋４０を被着したままで開封作業を行うことができるので、万が一、切刃部材２７によって飲料がカップ本体１１から飛散しても、外蓋４０の外部にまで飲料が飛散することがない。
【００２９】
また、外蓋４０に、外蓋４０の蓋体２０に対する相対回転量を案内するガイド部として開口穴４６が、傾斜突条部４５の回転方向Ｔ後方側に形成されているので、外蓋４０を開口穴４６が切刃部材２７の上部に位置するように回転方向Ｔに回転させることで、確実に開封することができるとともに、この開口穴４６を飲み口として利用することができる。なお、流通時には、外蓋４０の上にカバー５０が被せられているので、開口穴４６を飲み口として使用しても衛生上問題はない。
【００３０】
また、本実施形態においては、連結ヒンジ部２８から突起部３０の上端のうち回動方向前端に位置する部分（本実施形態では円弧状切欠部２７Ａ側部分）までの距離Ａが、図６に示すように、連結ヒンジ部２８とフランジ部１５内周端（開口部１１Ａ周縁部）のうち切刃部材３０に対向して位置する部分との距離Ｂよりも僅かに大きく設定されているので、切刃部材２７を傾斜突条部４５で押圧した場合には、突起部３０はフランジ部１５内周端を超えてカップ本体１１内へと入り込むことができる一方、カップ本体１１内に入り込んだ切刃部材２７は突起部３０の上端がフランジ部１５の内周端と係合することになり、カップ本体１１外側に向けて回動することができない。よって、一度開封した状態で切刃部材２７が押込まれて形成された開口部を、切刃部材２７が回動して塞ぐことがなく、カップ本体１１内に充填された飲料をスムーズに飲むことができる。
【００３１】
以上、本発明の実施形態である蓋付カップ容器について説明したが、本発明の技術的範囲はこれに限定されることはなく、本発明の技術的思想を逸脱しない範囲で適宜変更可能である。
例えば、飲料を充填する蓋付カップ容器として説明したが、蓋付カップ容器内の内容物に限定はなく、その他の液体であっても良いし、液体に限定されず粉末や粒状体などであっても良い。
【００３２】
さらに、カップ本体や蓋体の形状は、本実施形態に限定されることはなく、例えば四角筒状をなすカップ本体や蓋体であっても良い。
また、切刃部材の形態についても本実施形態に限定されることはなく、上から押圧してシール部材を破断できる構成とされていれば良い。
また、シール部材としてアルミ蒸着シート等のバリア性シート材で構成されたもので説明したが、これに限定されることはなく、シール部材の材質は、カップ本体内の内容物に合わせて適宜設定することが好ましい。
【００３３】
また、ガイド部として開口穴を形成したものとしたが、これに限定されることはなく、例えばガイドピンを設けて回転量を規制するものであっても良い。
さらに、外蓋の上にカバーを被着したものとして説明したが、外蓋の下端に環状凸部を形成して蓋体に直接係合させたものであってもよい。この場合には、飲み口として使用される開口穴をタックシール等で封止することが衛生上好ましい。
【００３４】
また、切刃部材を天面部に連結する連結ヒンジ部を蓋体の軸線近傍に形成したものとして説明したが、これに限定されることはなく、連結ヒンジ部を天面部の外周側に形成しても良いし、天面部の径方向に沿って延びるように形成しても良い。
なお、蓋体とカップ本体との間に、既存の回り止め機構を設けることによって、外蓋と蓋体とを確実に相対回転させることができるように構成してもよい。
【産業上の利用可能性】
【００３５】
指等がカップ本体内に入り込んで、カップ本体の内容物に触れることを確実に防止して、内容物が外部へと飛散することを防止することができる。
【図面の簡単な説明】
【００３６】
【図１】本発明の実施形態である蓋付カップ容器の側面部分断面図である。
【図２】図１の蓋付カップ容器の開封前の状態を示す上面図である。
【図３】図１の蓋付カップ容器の開封後の状態を示す上面図ある。
【図４】図１の蓋付カップ容器の開封前の状態における切刃部材と傾斜突条部の配置を示す説明図である。
【図５】図１の蓋付カップ容器の開封後の状態における切刃部材と傾斜突条部の配置を示す説明図である。
【図６】図１の蓋付カップ容器の切刃部材近傍の拡大側面断面図である。
【符号の説明】
【００３７】
１０  蓋付カップ容器
１１  カップ本体
１１Ａ  開口部
１６  シール部材
２０  蓋体
２１  側壁部
２２  天面部
２７  切刃部材
２８  連結ヒンジ部
３０  突起部
４０  外蓋
４２  天板部
４５  傾斜突条部
４６  開口穴（ガイド部）
【図１】
0004767758.tif 000002
【図２】
0004767758.tif 000003
【図３】
0004767758.tif 000004
【図４】
0004767758.tif 000005
【図５】
0004767758.tif 000006
【図６】
0004767758.tif 000007